(57)【特許請求の範囲】
【請求項１】
使い捨てかみそりパッケージであって、
近位端部分と遠位端部分とを有する第１の剃毛かみそりと、
近位端部分と遠位端部分とを有する第２の剃毛かみそりと、
概して平らな底面を有するタブと、
前記底面から突出している第１の保持部材と、を備え、前記第１の保持部材は第１の表面と第２の表面とを有し、前記第１の保持部材の前記第２の表面が前記第２の剃毛かみそりの遠位端部分と係合し、前記第１の保持部材の前記第１の表面が前記第１の剃毛かみそりの近位端部分と係合し、
当該使い捨てかみそりパッケージは、前記底面から突出している第２の保持部材を更に備え、前記第２の保持部材は第１の表面と第２の表面とを有し、前記第２の保持部材の前記第２の表面が前記第１の剃毛かみそりの遠位端部分と係合し、前記第１の表面が前記第２の剃毛かみそりの近位端部分と係合し、
当該使い捨てかみそりパッケージは、近位端部分と遠位端部分とを有する第３の剃毛かみそりと、前記底面から突出している第３の保持部材とを更に備え、前記第３の保持部材が、第１の表面と第２の表面とを有し、前記第３の保持部材の前記第２の表面が前記第３の剃毛かみそりの遠位端部分と係合し、前記第３の保持部材の前記第１の表面が前記第２の剃毛かみそりの近位端部分と係合し、
当該使い捨てかみそりパッケージは、前記底面から突出している第４の保持部材を更に備え、前記第４の保持部材は第１の表面と第２の表面とを有し、前記第４の保持部材の前記第１の表面が前記第２の剃毛かみそりの遠位端部分と係合する、使い捨てかみそりパッケージ。
【請求項２】
第２の保持部材が、前記第１の剃毛かみそりの遠位端部分の４０％〜９０％を入れ子状に受け入れる、請求項１に記載の使い捨てかみそりパッケージ。
【請求項３】
前記保持部材の１つ以上が概して弓状である、請求項１又は２のいずれか一項に記載の使い捨てかみそりパッケージ。
【請求項４】
前記第４の保持部材の前記第２の表面が、前記第１の剃毛かみそりの近位端部分に装着されたカートリッジと係合する、請求項１〜３のいずれか一項に記載の使い捨てかみそりパッケージ。
【請求項５】
前記保持部材の１つ以上が連続している、請求項１〜４のいずれか一項に記載の使い捨てかみそりパッケージ。
【請求項６】
前記保持部材の１つ以上が分割されている、請求項１〜４のいずれか一項に記載の使い捨てかみそりパッケージ。
【請求項７】
前記第４の保持部材が、前記第３の剃毛かみそりの近位端部分に装着されたカートリッジを受け入れるような寸法のノッチを有する上面を有する、請求項１〜６のいずれか一項に記載の使い捨てかみそりパッケージ。
【発明の詳細な説明】
【技術分野】
【０００１】
本発明は、複数の個人用ケア物品を保持及びディスプレイするためのパッケージ及びトレーに関し、より具体的には、複数の剃毛かみそりを保持及びディスプレイするための使い捨てパッケージに関する。
【背景技術】
【０００２】
剃毛かみそり及び歯ブラシのような個人用ケア物品は、典型的には、複数の製品単位を収容する透明プラスチックの製品パッケージにて販売される。これらのプラスチックパッケージは、一般に、ブリスターパッケージと呼ばれ、従来、パッケージ内にシート又はカード材料を有する透明プラスチックのブリスター、又はパッケージに剛性を付加することができる外側シールとしての透明プラスチックのブリスターを含み、販売店のディスプレイのハンガーからパッケージを吊り下げることを可能にする。シート又はカード材料には、通常、パック内の製品に関する適切なデータが印刷されることになる。このパックは、典型的には、販売店のディスプレイでブリスター内の内容物が顧客に明瞭に見えるようにブリスターが前側になるように構成される。通常、パッケージ内の内容物へのアクセスを提供するために、カードには切り取り用穿孔が提供される。
【０００３】
典型的には、個別の製品パッケージが入れられた搬送容器で製造業者から搬送され、その容器内には、複数の個別製品パッケージが束ねられずに収容されている。次いで、小売店従業員がこれらの製品パッケージをその搬送容器から取り出し、販売店のディスプレイのハンガーに装着する必要がある。製品は、通常、搬送過程及び販売店のディスプレイへの製品の装着過程に揺り動かされ、パッケージ内の製品の向きがその影響を受ける場合がある。パッケージによってはパッケージ内の単一の製品を保持する分離トレーを含むものもあるが、これらのトレーは追加的コストとなり、典型的に、パックを捨てた後に製品を保持又は保管するために顧客によって再利用される。したがって、これらのトレーは、より低コストの使い捨て用品としてコスト効果の優れたオプションではない。ともに包装された、より低コストの使い捨て用品は、典型的には、パッケージ内で固定されておらず、自由に動くことができる。品の動きは、パッケージの外形及びパッケージ内の品の数によってのみ制限される。パッケージに固定されていない品は、販売店のディスプレイに到達するまでに向きを変えることが可能である。
【０００４】
剃毛かみそり、櫛、ブラシ、及び歯ブラシのような品は、典型的に、小売店のペグに吊り下げられるか、店の棚に直接置かれる。したがって、本明細書で使用するとき、用語「パッケージ」又はフレーズ「製品パッケージ」は、ディスプレイ可能なパッケージのような、個人用ケア物品を保持するための包装物を意味するものとして広く解釈されなくてはならない。
【発明の概要】
【課題を解決するための手段】
【０００５】
一態様によると、本発明は、概して、ほぼ平坦な底面を有するタブと、そのタブ内に配置された第１の剃毛かみそり及び第２の剃毛かみそりとを含む使い捨てパッケージを特徴とする。第１の剃毛かみそり及び第２の剃毛かみそりのそれぞれは、近位端部分と遠位端部分とを有する。第１の保持部材は底面から突出し、第１の表面と第２の表面とを有する。第１の保持部材の第２の表面は第２の剃毛かみそりの遠位端部分と係合し、第１の保持部材の第１の表面は第１の剃毛かみそりの近位端部分と係合する。
【０００６】
別の態様によると、本発明は、概して、上面と、ほぼ平らな底面と、ほぼ平らな背面とを有するタブを含む使い捨てパッケージを特徴とする。複数の個人用ケア物品を保持するために複数の保持部材が底面から突出し、複数の対応する凹部が背面内に延びる。蓋は上面に取り外し可能に封着され、ラベルは複数の凹部を視覚的に隠すために背面に取り付けられる。
【図面の簡単な説明】
【０００７】
本明細書は、本発明と見なされる主題を特定して指摘し明確に請求する特許請求の範囲をもって結論とするが、本発明は、添付の図面と関連させた次の説明から更によく理解されると考えられる。
【図１】個人用ケア物品を保持及びディスプレイするためのパッケージの可能な一実施形態の上面組立図。
【図２Ａ】図１のパッケージに組み込むことが可能なタブの可能な一実施形態の上面図。
【図２Ｂ】図２Ａのタブの詳細な斜視図。
【図３】図１のパッケージ内に配置可能な剃毛かみそりの上面図。
【図４Ａ】図２Ａのタブ及び２つの図３の剃毛かみそりの上面図。
【図４Ｂ】図２Ａのタブ及び３つの図３の剃毛かみそりの上面図。
【図５Ａ】タブの別の可能な実施形態及び３つの図３の剃毛かみそりの上面図。
【図５Ｂ】図５Ａのタブの上面図。
【図６】タブの別の可能な実施形態及び３つの図３の剃毛かみそりの上面図。
【図７】タブの更に別の可能な実施形態及び３つの図３の剃毛かみそりの上面図。
【図８Ａ】図１のパッケージの底面図。
【図８Ｂ】図８Ａのパッケージの底組立図。
【発明を実施するための形態】
【０００８】
図１を参照すると、複数の個人用ケア物品を保持及びディスプレイするためのパッケージ１０の１つの可能な実施形態の組立図が示されている。パッケージ１０は、１つ以上の湾曲した側部を有する概して矩形を有する。パッケージ１０は、２つの主構成要素である、成形可能な基材で作製されたタブ１２と、蓋１４とを含むことができる。タブ１２は、複数の剃毛かみそり１００ａ、１００ｂ、及び１００ｃのような製品を収容し、蓋１４は、そのパッケージ内に製品を密封する。剃毛かみそり１００ａ、１００ｂ、及び１００ｃは、異なる外形であってもよく、あるいは図１に示すように全て同じであってもよい。タブ１２は、上面２０と、周辺壁３２によって画定される凹底面３０とを有することができる。上面２０は、蓋１４で封着される区域を提供するフランジを含むことができる。特定の実施形態では、底面３０は概して平坦又は平らであることができる。特定の実施形態では、２つの剃毛かみそり１００ａ及び１００ｂはタブ１２の底面３０に面することができ、１つの剃毛かみそり１００ｃは蓋１４に面することができるが、他の配向もまた可能である。個人用ケア物品をタブ１２にいったん定置したら、蓋１４をタブ１２の上面２０に接合することができる。タブ１２の上面２０は、販売店のディスプレイのハンガーからパッケージ１０を吊り下げることを可能にするために上面２０を貫通して延びる開口１６を画定することができる。蓋もまた、対応する開口１８を有することができる。
【０００９】
特定の実施形態では、蓋１４は上面２０に熱融着されるフィルム又はプラスチックシートであってもよい。パッケージ１０を通して消費者が個人用ケア物品を見ることができるように、タブ１２及び／又は蓋１４は、概して半透明又は透明のポリマーで製造されてもよい。また、蓋１４又はタブ１２の透明性が要求されない場合は、木材／紙パルプ又は発泡スチロールのような不透明の材料を使用してもよい。透明又は半透明のポリマーの例としては、限定はしないが、ポリオレフィン（例えば、ポリプロピレン、高密度ポリエチレン、又は低密度ポリエチレン）、ポリエステル（例えば、ポリエチレンテレフタレート）、及びポリ塩化ビニル（ＰＶＣ）が挙げられる。タブ１２は、熱成形又は例えば射出成形、吹込み成形、冷間成形、及び射出吹込み成形のような他の既知の加工方法によって生産することができる。タブ１２内に配置された製品を取り出すために、蓋１４をタブ１２の上面２０から外すこと又は剥離することができる。特定の実施形態では、蓋１４及び／又は上面２０は、蓋１４をタブ１２の上面２０から取り外してから再封着することを繰り返し可能にする接着剤を有することができる。
【００１０】
図２Ａを参照すると、タブ１２の上面図が図示されている。底面３０は、近位端部分３４と、遠位端部分３６とを有することができる。離間配置された複数の保持部材４０、５０、６０、及び７０は、底面３０から突出することができる。保持部材４０、５０、６０、及び７０の間隔は、図１に図示するように、剃毛かみそり１００ａ、１００ｂ、及び１００ｃへの開かれた容易なアクセスを提供することができる。特定の実施形態では、保持部材５０、６０、及び７０は、タブ１２の一体部として形成されてもよい。他の実施形態では、保持部材４０、５０、６０、及び７０は、底面３０の任意の場所に配置可能なモジュール式挿入物であってもよく、したがって、より優れた設計フレキシビリティを可能にする。例えば、１つ以上の保持部材４０、５０、６０、及び７０を配置換え、追加、又は除去することによって、同じタブ１２を使用して、異なるサイズ及び形を有する多様な剃毛かみそりを保持することができる。下記に詳述するように、保持部材４０、５０、６０、及び７０は、複数の個人用ケア物品を既定の配向に保持し、店舗への搬送中に、又は消費者がディスプレイから製品を取り外す際に、製品の位置ずれを防ぐことができる。また、保持部材４０、５０、６０、及び７０は、タブ１２内の複数の製品の間の適正な間隔を提供することによって、より美的に魅力のある外観を製品に与えることもできる。
【００１１】
保持部材４０、５０、６０、及び７０は、概して弓状の輪郭を有することができ、連続していてもよく、分割されていてもよい。下記に詳述するように、保持部材４０、５０、６０、及び７０のそれぞれは、２つ以上の使い捨て剃毛かみそり（図示せず）のような個人用ケア物品を保持するのを助けることができる。保持部材４０、５０、６０、及び７０のそれぞれは、それぞれ対応する第１面及び第２面（４２及び４４、５２及び５４、６２及び６４、並びに７２及び７４）を有することができる。第１面及び第２面（４２及び４４、５２及び５４、６２及び６４、並びに７２及び７４）は、剃毛かみそり１００ａ、１００ｂ、及び１００ｃをタブ１２内に保持するのを助けることが可能な概して弓状であることができる。第１の保持部材４０及び第４の保持部材７０に対して、第１の保持部材５０及び第３の保持部材６０をタブ１２の対向する端部分に位置づけることができる。特定の実施形態では、第１の保持部材４０及び第４の保持部材７０を近位端部分３４に位置づけることができ、第２の保持部材５０及び第３の保持部材６０を遠位端部分３６に位置づけることができる。
【００１２】
図２Ｂを参照すると、タブ１２の近位端部分３４の斜視図が示されている。剃毛かみそり及び歯ブラシのような個人用ケア物品の多くは、凹凸のある表面を有する。凹凸のある表面は、個人用ケア物品がパッケージ内で乱れた状態にならないように個人用ケア物品の異なる表面を保持又はディスプレイすることを困難にする。例えば、凹凸のある表面が同一平面の２つの端部分の間に位置づけられているのに、その凹凸のある表面が異なる平面に置かれている場合がある。そのような構成では、単一の配向でのみ、個人用ケア物品を平坦な表面上に均等に置くことができる。製品の凹凸のある表面がパッケージの平坦な表面に配置されている場合、その製品は傾く傾向又は倒れる傾向を有することになり、結果的に、潜在的消費者に対する魅力の欠けるディスプレイをもたらすことになる。第４の保持部材７０は、剃毛かみそり１００ａ、１００ｂ、及び１００ｃ（図示せず）のような凹凸のある表面を有する製品がパッケージ内で傾くのを制限するように構成することができる。第４の保持部材７０は、連続していてもよく、第１のセグメント７６と第２のセグメント７８とを含んでいてもよい。第１のセグメント７６及び第２のセグメント７８は、それぞれに対応する、ノッチ８４及び８６を画定する上面８０及び８２を有することができる。特定の実施形態では、ノッチ８４及び８６は、概して「Ｖ」形又は「Ｕ」形であることができる。ノッチは、ハンドル１０２ｃに対して旋回するカートリッジ１１０ｃを既定の角度で定置することを可能にすることができる。ノッチ８４及び８６の角度は、カートリッジ１１０ｃ（図示せず）に望まれる観察角に依存して変化させることができる。第１のセグメント７６及び第２のセグメント７８は、個人用ケア物品の凹凸のある表面を支持する、それぞれ対応する前壁８８及び９０を有することができる。前壁８８及び９０は一直線でも、傾斜していても、弓状であってもよい。
【００１３】
図３を参照すると、タブ１２内に配置され得る剃毛かみそり１００の可能な一実施形態の上面図が示されている。この剃毛かみそりは、近位端部分１０４と、拡大された遠位端部分１０６とを有するハンドル１０２を有することができる。遠位端部分１０６は、概して丸い又は円形の形を有することができる。カートリッジ１１０は、ハンドル１０２の近位端部分１０４に恒久的に、又は取り外し可能に装着することができる。特定の実施形態では、カートリッジ１１０はハンドル１１０に対して旋回可能であるが、代替方法として、カートリッジ１１０をハンドルに対して固定してもよい。所望により保護カバー１１２をカートリッジ１１０に装着することができる。剃毛かみそり１１０が傾く又は寄りかかることなく、平坦な表面に配置され得るように、近位端部分１０４（及び／又はカートリッジ１１０）及び遠位端部分１０６の少なくとも一部を同一の平面に置くことができる。ハンドル１０２は、近位端部分１０４と遠位端部分１０６との間の長手方向軸Ａ１に沿って延びる弓状の上面１０８を有することができる。上面１０８は、長手方向軸Ａ１沿いと長手方向軸Ａ１に垂直方向との両方で曲線であることができる。上面１０８は、近位端部分１０４（及び／又はカートリッジ１１０）及び／又は遠位端部分１０６が上面１０８と同一の平面に置かれないように、凸部の輪郭を有することができる。上面１０８の弓状の輪郭は、剃毛かみそり１００が平坦な表面上に配置されたときにそれを傾かせる原因となり得る。
【００１４】
図４Ａは、タブ１２内に配置された第１の剃毛かみそり１００ａ及び第２の剃毛かみそり１００ｂを図示する。第１の保持部材４０及び第２の保持部材５０は、２つ以上の剃毛かみそり１００ａ及び１００ｂと係合するように構成され得る。第１の保持部材４０は、剃毛かみそり１００ａ及び１００ｂと係合するように構成され得る第１の保持部材４０の第１の表面４２は、ハンドル１０２ａの近位端部分１０４ａと係合することができ、第１の保持部材４０の第２の表面４４は、ハンドル１００ｂの遠位端部分１０６ｂと係合することができる。第２の保持部材５０もまた、剃毛かみそり１００ａ及び１００ｂと係合することができる。第２の保持部材５０の第１の表面５２は、ハンドル１０２ｂの近位端部分１０４ｂと係合することができ、第２の保持部材５０の第２の表面５４は、ハンドル１０２ａの遠位端部分１０６ａと係合することができる。遠位端部分１０４ａ及び１０４ｂ並びにカートリッジ１００ａ及び１００ｂの少なくとも一部は、タブ１２の底面３０上に概して平らに置かれることができる。ハンドル１０２ａ及び１０２ｂにそれぞれ対応する上面１０８ａ及び１０８ｂは、タブ１２の底面３０に接触しなくてもよい。
【００１５】
図４Ｂは、タブ１２内に配置された第１、第２、及び第３の剃毛かみそり１００ａ、１００ｂ、及び１００ｃを図示する。第３の保持部材６０は、第２の剃毛かみそり１００ｂ及び第３の剃毛かみそり１００ｃと係合するように構成され得る。第３の保持部材６０の第１の表面６２は、ハンドル１０２ｂの近位端部分１０４ｂと係合することができ、第３の保持部材６０の第２の表面６４は、ハンドル１００ｃの遠位端部分１０６ｃと係合することができる。第４の保持部材７０もまた、複数の剃毛かみそり１００ａ、１００ｂ、及び１００ｃと係合することができる。第４の保持部材７０の第１の表面７２は、ハンドル１０２ｂの遠位端部分１０６ｂと係合することができ、第４の保持部材７０の第２の表面７４は、ハンドル１０２ａのカートリッジ１１０ａ及び／又は保護カバー１１２ａと係合することができる。ハンドル１０２ｃの凹凸のある上面１０８ｃはタブ１２の底面３０と接触することができ、第４の保持部材７０のノッチ８４及び８６（図示せず）はカートリッジ１１０ｃ及び／又は保護カバー１１２ｃを受け入れることができる。ノッチ８４及び８６は、特にカートリッジ１１０ｃがハンドル１０２ｃに対して旋回する場合に、カートリッジ１１０ｃを既定の配向の角度にすることを可能にすることができる。消費者は、カートリッジがハンドル１０２ｃに対して特定の角度で保持されていれば、カートリッジ１１０ｃの設計要素のよりよい視野を有することができる。旋回機構を有する剃毛かみそりは、搬送中に損傷を受ける場合がある。第４の保持部材７０は、パッケージ内の剃毛かみそりの過度の移動によって引き起こされる場合があるカートリッジ１１０ｃの搬送中の損傷を防ぐのを助けることができる。第４の保持部材７０は、カートリッジ１１０ｃ及び近位端部分１０４ｃを支持することによって、第３のかみそり１００ｃが傾くのを防ぐことができる。第３の保持部材６０は、遠位端部分１０６ｃを支持して、第３の剃毛かみそり１００ｃを更に安定させることができる。
【００１６】
第１の剃毛かみそり１００ａは、第１の剃毛かみそり１００ａの長手方向及び／又は横方向の動きを制限する複数の異なる表面と接触又は係合することによって、タブ１２内で固定され得る。例えば、第１の剃毛かみそり１００ａの横方向の動きを制限するために、剃毛かみそり１００ａのカートリッジ１１０ａ（又はカートリッジカバー１１２ａ）をタブ１２の周辺壁３２と第４の保持部材７０との間で固定することができる。第１の剃毛かみそり１００ａの横方向の動きは、第１の保持部材４０と接触している第１の剃毛かみそり１００ａの近位端部分１０４ａによってもまた制限することができる。第１の剃毛かみそり１００ａを周辺壁３２と第２の保持部材５０との間に位置づけて、長手方向の動きを制限することができる。例えば、第２の保持部材５０は、第１の剃毛かみそり１００ａの遠位端部分１０６ｂと接触すること又はそれを保持することができ、周辺壁３２はカートリッジ１１０ａ（又はカートリッジカバー１１２ａ）と接触して、剃毛かみそり１００ａが長手方向にずれるのを制限することができる。第２の保持部材５０は、ハンドル１０２ａの遠位端部分の横方向の動きを更に制限するために、湾曲した輪郭を有することができる。
【００１７】
複数の異なる表面と接触又は係合することによって第２の剃毛かみそり１００ｂの長手方向又は横方向の動きを制限して、第２の剃毛かみそり１００ｂもまたタブ１２内に固定することができる。例えば、ハンドル１０２ｂを第１の保持部材４０と第４の保持部材７０との間に位置づけて、第２の剃毛かみそり１００ｂの横方向の動きを制限することができる。第２及び第３の保持部材５０及び６０は、ハンドル１０２ｂの横方向及び長手方向の動きを更に制限することができる。ハンドル１０２ｂの近位端部分１０４ｂを第２の保持部材５０と第３の保持部材６０との間に位置づけて、横方向の動きを制限することができる。第２の剃毛かみそり１０２ｂを第２の保持部材５０及び第３の保持部材６０と周辺壁３２との間に位置づけて、第２の剃毛かみそり１００ｂの長手方向の動きを制限することもできる。また、第２の剃毛かみそり１０２ｂの長手方向の動きは、ハンドル１０２ｂの遠位端部分１０６ｂと接触する第１の保持部材４０と第４の保持部材７０とによって、及び剃毛カートリッジ１１０ｂと接触する周辺壁３２によって、制限することができる。
【００１８】
第３の剃毛かみそり１００ｃは、第３の剃毛かみそり１００ｃの長手方向及び／又は横方向の動きを制限する複数の異なる表面と接触又は係合することによって、タブ１２内で固定することができる。例えば、第３の剃毛かみそり１００ｃを第３の保持部材６０及び第４の保持部材７０との間に位置づけて、第３の剃毛かみそり１００ｃの長手方向の動きを制限することができる。第３の保持部材６０は、ハンドル１０２ｃの遠位端部分１０６ｃのあらゆる横方向の動きを制限するために、湾曲した輪郭を有することができる。周辺壁３２はカートリッジ１１０ｃと接触して、第３の剃毛かみそり１００ｃの横方向の動きを制限することができる。
【００１９】
図５Ａ及び５Ｂを参照すると、図１のパッケージ１０に組み込むことが可能なタブ１１２の別の可能な実施形態の上面図が示されている。タブ１１２は前述のタブ１２と同じであっても同様であってもよいが、タブ１１２は、ハンドル１０２ａ、１０２ｂ、及び１０２ｃのそれぞれ対応する遠位端部分１０６ａ、１０６ｂ、及び１０６ｃを入れ子状に受け入れる１つ以上の保持部材１４０、１５０、及び１６０を有することができる。保持部材１４０、１５０、及び１６０は、弓状、概して円形、又は半円形で、ハンドル１０２ａ、１０２ｂ、及び１０２ｃのそれぞれ対応する遠位端部分１０６ａ、１０６ｂ、及び１０６ｃを入れ子状に受け入れる寸法に作られた凹部を画定することができる。特定の実施形態では、保持部材１４０、１５０、及び１６０の１つ以上は、それぞれ対応する遠位端部分１０６ａ、１０６ｂ、及び１０６ｃの約４０％、５０％、又は６０％〜約７０％、８０％、又は９０％を囲むこと又はそれと接することができる。保持部材１４０、１５０、及び１６０の１つ以上は、連続した壁を有してもよく、分割された壁（図示）を有してもよい。保持部材１４０、１５０、及び１６０は、傾斜又は下降する１つ以上の斜面１４２と１４４、１５２と１５４、及び１６２と１６４を有することができる。斜面１４２と１４４、１５２と１５４、及び１６２と１６４は、それぞれ対応するハンドル１０２ａ、１０２ｂ、及び１０２ｃの遠位端部分１０６ａ、１０６ｂ、及び１０６ｃ上の上面及び／又は底面の凹凸のある表面と対応する凹凸のある上面を有することができる。斜面１４２と１４４、１５２と１５４、及び１６２と１６４は、それぞれ対応する遠位端部分１０６ａ、１０６ｂ、及び１０６ｃを支持し、タブ１２内の剃毛かみそり１００ａ、１００ｂ、及び１００ｃに安定性を付加することができる。遠位端部分１０６ａ、１０６ｂ、及び１０６ｃ並びにそれぞれ対応する保持部材１４０、１５０、及び１６０は、遠位端部分１０６ａ、１０６ｂ、及び１０６ｃが、それぞれ対応する保持部材１４０、１５０、及び１６０によって定位置に緩く保持されるスリップ嵌め構成を有することができる。あるいは、遠位端部分１０６ａ、１０６ｂ、及び１０６ｃ並びにそれぞれ対応する保持部材１４０、１５０、及び１６０は、遠位端部分１０６ａ、１０６ｂ、及び１０６ｃが、それぞれ対応する保持部材１４０、１５０、及び１６０によってよりきつく定位置に保持されるスナップ嵌め又はプレス嵌め構成を有してもよい。
【００２０】
図６を参照すると、図１のパッケージ１０に組み込むことが可能なタブ２１２の、別の可能な実施形態の上面図が示されている。タブ２１２は、前述のタブ１２と同じであっても同様であってもよいが、タブ２１２は、底面２３０から突出した追加的な第５の保持部材２９２を有する。第５の保持部材２９２は、タブ２１２の近位端部分に、第２の保持部材２５０及び第３の保持部材２６０に対向して位置づけることができる。第５の保持部材２９２は、第２の剃毛かみそり１００ｂ及び第３の剃毛かみそり１００ｃの保持及び適正な間隔を可能にするように概して円筒形又は円錘形を有することができる。第５の保持部材２９２は、第２の剃毛かみそり１００ｂの遠位端部分１０６ｂ及び第３の剃毛かみそり１００ｃの近位端部分１０４ｃと係合又は接触するように構成することができる。
【００２１】
タブ２１２は、前述のような図２Ａの第１の保持部材４０及び第４の保持部材７０と同様の第１の保持部材２４０及び第４の保持部材２７０を有することができる。タブ２１２は、図２Ａの第２の保持部材５０及び第３の保持部材６０と同じであっても同様であってもよい、第２の保持部材２５０及び第３の保持部材２６０もまた有することができるが、第２の保持部材２５０及び第３の保持部材２６０は、第１の剃毛かみそり１００ａ及び第３の剃毛かみそり１００ｃの遠位端部分１０６ａ及び１０６ｃをほぼ入れ子状に受け入れることができる。特定の実施形態では、第２の保持部材２５０及び第３の保持部材２６０は、それぞれ対応する遠位端部分１０６ａ及び１０６ｃの１つ以上の約４０％、５０％、又は６０％〜約７０％、８０％、又は９０％を囲む又はそれと接する連続した壁を有することができる。第２の保持部材２５０及び第３の保持部材２６０は、それぞれ対応する遠位端部分１０６ａ及び１０６ｃが、それぞれ対応する保持部材２５０及び２６０によって定位置に緩く保持されるスリップ嵌めの構成を提供することができる。あるいは、第２の保持部材２５０及び第３の保持部材２６０並びにそれぞれ対応する遠位端部分１０６ａ及び１０６ｃは、遠位端部分１０６ａ及び１０６ｃが、それぞれ対応する保持部材２５０及び２６０によってよりきつく定位置に保持されるスナップ嵌め又はプレス嵌め構成を有してもよい。
【００２２】
第１の剃毛かみそり１００ａは、複数の異なる表面と接触又は係合することによって、タブ２１２内で横方向及び／又は長手方向に固定することができる。例えば、剃毛かみそり１００ａのカートリッジ１１０ａ（又はカートリッジカバー１１２ａ）をタブ２１２の周辺壁２３２と第４の保持部材２７０との間に位置づけることができる。近位端部分１０４ａもまた、剃毛かみそり１００ａの横方向の動きを制限するために第１の保持部材２４０と接触することができる。第１の剃毛かみそり１００ａを周辺壁２３２と第２の保持部材２５０との間に位置づけて、第１の剃毛かみそり１００ａの長手方向の動きを制限することできる。第２の保持部材２５０は、第１の剃毛かみそり１００ａの遠位端部分１０６ａを入れ子状に受け入れて、第１の剃毛かみそり１００ａの横方向及び／又は長手方向の動きを制限することができる。周辺壁２３２もまた、カートリッジ１１０ａ（又はカートリッジカバー１１２ａ）と接触して、剃毛かみそり１００ａのあらゆる不要な長手方向の動きを制限することができる。
【００２３】
第２の剃毛かみそり１００ｂは、複数の異なる表面と接触又は係合することによって、タブ２１２内で横方向及び／又は長手方向に固定することができる。例えば、ハンドル１０２ｂを第１の保持部材２４０と第５の保持部材２９２との間に位置づけて、第２の剃毛かみそり１００ｂの横方向及び／又は長手方向の動きを制限することができる。第２の剃毛かみそり１００ｂの近位端部分１０４ｂを第２の保持部材２５０と第３の保持部材２６０との間に位置づけて、第２の剃毛かみそり１００ｂの横方向及び／又は長手方向の動きを制限することができる。第２の保持部材２５０及び第３の保持部材２６０はまた、剃毛かみそり１００ｂが第１の方向に長手方向に動くのを制限することができ、周辺壁２３２は、この剃毛かみそりが第２の方向に長手方向に動くのを制限することができる。
【００２４】
第３の剃毛かみそり１００ｃは、複数の異なる表面と接触又は係合することによって、タブ２１２内で横方向及び／又は長手方向に固定することができる。例えば、第３の剃毛かみそり１００ｃをタブ２１２の周辺壁２３２と第５の保持部材２９２との間に位置づけて、第３の剃毛かみそり１００ｃの横方向の動きを制限することができる。第５の保持部材２９２は近位端部分１０４ｃと接触することができ、周辺壁２３２はカートリッジ１１０ｃ（又はカートリッジカバー１１２ｃ）と接触することができる。第３の保持部材２６０は遠位端部分１０６ｃをほぼ入れ子状に受け入れて、第３の剃毛かみそり１００ｃの横方向及び／又は長手方向の動きを制限することができる。また、第３の剃毛かみそり１００ｃを第３の保持部材２６０と第４の保持部材２７０との間で長手方向に固定することもできる。前述したように、第４の保持部材２７０は既定の旋回角度でカートリッジ１１０ｃを保持することができる。
【００２５】
図７を参照すると、図１に示したパッケージ１０と同様のパッケージに組み入れることが可能なタブ３１２の別の可能な実施形態の上面図が示されている。タブ３１２は、先に述べた他の実施形態と同様であってもよいが、タブ３１２は、複数の剃毛かみそり１００ａ、１００ｂ、及び１００ｃのよりコンパクトな配列を可能にすることができる。タブ３１２は、図２Ａに示したタブ１２より小さい設置面積を有することができる。タブ３１２は、ほぼ一直線の側壁と、緩やかな曲線を有する対向する側壁とを有する周辺壁３３２によって画定される。周辺壁３３２は、ほぼ一直線又は曲線の対向する対の端壁もまた有することができる。特定の実施形態では、タブ３１２のサイズを最小限にするために、１つの剃毛かみそり１００ｃのカートリッジ１１０ｃ（及び／又はカバー１１２ｃ）を、隣接する剃毛かみそり１００ｂの遠位端部分１０６ｂに重ねることができる。タブ３１２は、図２Ａに示すように第１の保持部材４０を有さなくてもよい。第１の保持部材４０の排除は、剃毛かみそり１００ａ、１００ｂ、及び１００ｃをより密接した配列でパッケージしてタブ３１２のサイズを最小限にすることを可能にすることができる。下記に詳述するように、剃毛かみそり１００ａ、１００ｂ、及び１００ｃを互いに接触させて配列して、無駄なスペースを最小限にし、タブ３１２内の剃毛かみそり１００ａ、１００ｂ、及び１００ｃの固定を更に助けることができる。
【００２６】
タブ３１２は、底面３３０から突出する第５及び第６の保持部材３９２及び３９４を有することができる。第６の保持部材３９４は、タブ３１２の遠位端部分に位置づけることができ、第１の剃毛かみそり１００ａの遠位端部分１０６ａと接触するように構成することができる。第５の保持部材３９２は、タブ３１２の近位端部分に位置づけることができ、第２の剃毛かみそり１００ｂの遠位端部分１０６ｂと第３の剃毛かみそり１００ｃの近位端部分１０４ｃとの双方と接触するように構成することができる。第５の保持部材３９２及び第６の保持部材３９４は、１つ以上の剃毛かみそり１００ａ、１００ｂ、及び１００ｃの保持及び適正な間隔を可能にするために概して円筒形又は円錐形を有することができる。
【００２７】
第１の剃毛かみそり１００ａは、複数の異なる表面と接触又は係合することによって、タブ３１２内で横方向及び／又は長手方向に固定することができる。例えば、第１の剃毛かみそり１００ａの横方向の動きを制限するために、剃毛かみそり１００ａのカートリッジ１１０ａをタブ３１２の周辺壁３３２と第３の保持部材３７０との間に位置づけることができる。第１の剃毛かみそり１００ａの横方向の動きは、ハンドル１０２ｂの遠位端部分１０６ｂと接触しているハンドル１０２ａの近位端部分１０４ａによってもまた制限することができる。第１の剃毛かみそり１００ａの遠位端部分１０６ａは、第２の保持部材３４０、第２の剃毛かみそり１００ｂの近位端部分１０４ｂ、及び第６の保持部材３９４によって横方向に固定することができる。長手方向の動きを制限するために、第１の剃毛かみそり１００ａをタブ３１２の周辺壁３３２と第３の保持部材３４０との間に位置づけることができる。
【００２８】
第２の剃毛かみそり１００ｂは、複数の異なる表面と接触又は係合することによって、タブ３１２内で横方向及び／又は長手方向に固定することができる。例えば、第２の剃毛かみそり１００ｂの遠位端部分１０６ｂを第１の剃毛かみそり１００ａの近位端部分１０４ａと第５の保持部材３９２との間に位置づけて、横方向の動きを制限することができる。また、第２の剃毛かみそり１００ｂの近位端部分１０４ｂを第１の剃毛かみそり１００ａの遠位端部分１０６ａと第３の剃毛かみそり１００ｃの遠位端部分１０６ｃとの間に位置づけて、横方向の動きを制限することもできる。第２の剃毛かみそり１００ｂの近位端部分１０４ｂはまた、第２の保持部材３４０と接触して、横方向の動きを制限することもできる。第２の剃毛かみそり１００ｂを周辺壁３３２と第４の保持部材３７０との間に位置づけて、長手方向の動きを制限することができる。
【００２９】
第３の剃毛かみそり１００ｃは、複数の異なる表面と接触又は係合することによって、タブ３１２内で横方向及び／又は長手方向に固定することができる。例えば、第３の剃毛かみそり１００ｃをタブ３１２の周辺壁３３２と第５の保持部材３９２との間に位置づけて、横方向の動きを制限することができる。カートリッジ１１０ｃ（又はカバー１１２ｃ）は周辺壁３３２と接触することができ、近位端部分１０４ｃは第５の保持部材３９２と接触することができる。第３の剃毛かみそりのハンドル１０２ｃを第２の剃毛かみそり１００ｂの近位端部分１０４ｂと第３の保持部材３５０との間に位置づけて、横方向の動きを制限することができる。第３の剃毛かみそり１００ｃを第３の保持部材３５０と第４の保持部材３７０との間に位置づけて、長手方向の動きを制限することができる。
【００３０】
タブ３１２は、剃毛かみそり１００ａ、１００ｂ、及び１００ｃを横方向と長手方向との双方で固定することによって、剃毛かみそり１００ａ、１００ｂ、及び１００ｃの改善された間隔及び保持をもたらすことができる。改善された間隔及び保持は、搬送中の剃毛かみそり１００ａ、１００ｂ、及び１００ｃへの損傷を防ぐのを助け、販売店のディスプレイで潜在的消費者が見て美しいと感じるパッケージを確保することを助けることができる。上述のいずれの実施形態においても、タブ１２、１１２、２１２、及び３１２は、剃毛かみそり１００ａ、１００ｂ、及び１００ｃを固定又は保持するためにスリップ嵌め、プレス嵌め、又はスナップ嵌めの構成を提供することができる。
【００３１】
図８Ａ及び８Ｂを参照すると、パッケージ１０の底面図及び底組立図が図示されている。図８Ｂに示すように、保持部材４０、５０、６０、及び７０（図示せず）は、タブ１２の背面１５に凹部２２、２４、２６、及び２８を作り出すことができる。これらの凹部２２、２４、２６、及び２８は、消費者が見て美しいと感じるものである必要はない。背面１５は、概して平坦かつ平らであり、背面１５上への接着ラベル１７の配置を可能にする。ラベル１７は、裏側１９と、パッケージ１０の内容物に関する様々な図形及び情報を含むことができる対向する表側（図示せず）とを有することができる。蓋１４（図示せず）、及びタブ１２の底面３０（図示せず）が概して透明であれば、消費者は蓋１４（図示せず）を通してラベル１７の表側（図示せず）を見ることができる。ラベル１７の裏側１９と表側（図示せず）は、凹部２２、２４、１６、及び２８をよりよく隠すために不透明であってもよい。ラベル１７は、感圧性接着剤ラベルであってもよい。タブ１２の概して平坦かつ平らな背面１５とラベル１７の付加との組み合わせは、パッケージ工程のコストを最少限にし、かつまた、パッケージ１０の内容物に関する図形及び情報を印刷するために利用可能な区域を最大限にする。ラベル１７は、タブ１２の背面１５のかなりの部分を覆うことができる。特定の実施形態では、ラベル１７は、タブ１２の背面１５の約７０％、又は８０％〜約８５％、９０％、９５％を覆うこと、あるいはその１００％でさえも覆うことができる。図８Ａ及び８Ｂはタブ１２とともにラベル１７を図示しているが、ラベル１７は、前述のタブ１１２、２１２、及び３１２のいずれとも使用することができる。
【００３２】
本発明の様々な態様の更なる修正及び代替実施形態は、この説明を鑑み、当業者には明白であろう。本明細書に例示及び記述された任意の具体的な実施形態の構成要素及び構造が、本明細書に例示及び記述された他の任意の構成要素及び構造と互換性を有し得ることは、本発明の記述による利益を得た当業者には全て明白であろう。
【００３３】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示された寸法は、「約４０ｍｍ」を意味することを意図する。一切の曖昧さを避けるために、本開示の目的のために、用語「部分」は、５０％未満を意味するものと解釈されたい。例えば、用語「遠位端部分」は、参照される要素の末端から約０％、５％、１０％、又は１５％〜約１５％、２０％、２５％、３０％、４０％、又は４５％として解釈されたい。同様に、用語「近位端部分」は、参照される要素の前記末端の反対の端から約０％、５％、１０％、又は１５％〜約１５％、２０％、２５％、３０％、４０％、又は４５％として解釈されたい。
【００３４】
「発明を実施するための形態」で引用した全ての文献は、関連部分において本明細書に参考として組み込まれるが、いずれの文献の引用も、それが本発明に関して先行技術であることを容認するものとして解釈すべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【００３５】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１】
0005335935.tif 000002
【図２Ａ】
0005335935.tif 000003
【図２Ｂ】
0005335935.tif 000004
【図３】
0005335935.tif 000005
【図４Ａ】
0005335935.tif 000006
【図４Ｂ】
0005335935.tif 000007
【図５Ａ】
0005335935.tif 000008
【図５Ｂ】
0005335935.tif 000009
【図６】
0005335935.tif 000010
【図７】
0005335935.tif 000011
【図８Ａ】
0005335935.tif 000012
【図８Ｂ】
0005335935.tif 000013